(57)【要約】【課題】複数の画像を順に表示する表示技術において、簡易な手法で、良好な演出効果を得る。【解決手段】表示装置（１００）は、ランダムに生成した候補座標に表示する場合に次画像に対応する仮想矩形と直近に表示した画像に対応する仮想矩形とが重なるか否かを判定する重なり判定部（２３）、および、その判定結果に応じて次画像を表示する表示制御部（２１）を備え、仮想矩形は、一定のサイズを有し、対応する画像と中心位置が同じである。【選択図】図１
2014235539.tif 000002
【特許請求の範囲】
【請求項１】
複数の画像を順に表示する表示装置であって、
次に表示すべき次画像の表示座標の候補座標をランダムに生成する生成手段、
該次画像を該候補座標に表示する場合に当該次画像に対応する仮想矩形と、直近に表示した画像に対応する仮想矩形とが重なるか否かを判定する判定手段、および
該判定手段の判定結果に応じて、該次画像を表示する表示手段、を備えており、
該仮想矩形は、該表示手段による該複数の画像の最大表示サイズよりも小さい一定のサイズを有し、対応する画像と中心位置が同じであることを特徴とする表示装置。
【請求項２】
上記表示手段は、
上記生成手段による上記次画像についての上記候補座標の生成回数が上限値以下であり、かつ、上記仮想矩形同士が重なると上記判定手段が判定した場合、上記生成手段に上記候補座標を再度生成させ、
上記生成回数が上記上限値を超えているか、または、上記仮想矩形同士が重ならないと上記判定手段が判定した場合、上記候補座標に上記次画像を表示することを特徴とする請求項１に記載の表示装置。
【請求項３】
表示対象である上記複数の画像の表示サイズが、二種類以上あることを特徴とする請求項１または２に記載の表示装置。
【請求項４】
請求項１〜３の何れか一項に記載の表示装置を備えていることを特徴とするテレビジョン受像機。
【請求項５】
複数の画像を順に表示する表示方法であって、
次に表示すべき次画像の表示座標の候補座標をランダムに生成する生成工程、
該次画像を該候補座標に表示する場合に当該次画像に対応する仮想矩形と、直近に表した画像に対応する仮想矩形とが重なるか否かを判定する判定工程、および
該判定工程における判定結果に応じて、該次画像を表示する表示工程、を包含しており、
該仮想矩形は、該表示工程における該複数の画像の最大表示サイズよりも小さい一定のサイズを有し、対応する画像と中心位置が同じであることを特徴とする表示方法。
【請求項６】
請求項１〜３の何れか一項に記載の表示装置としてコンピュータを機能させるための表示プログラムであって、コンピュータを上記各手段として機能させるための表示プログラム。
【請求項７】
請求項６に記載の表示プログラムを記録したコンピュータ読み取り可能な記録媒体。
【発明の詳細な説明】
【技術分野】
【０００１】
本発明は、複数の画像を順に表示する表示装置および表示方法に関する。
【背景技術】
【０００２】
複数の画像を表示する方法としては、特許文献１〜３に記載されているような、複数の画像を同時に表示する方法と、複数の画像を一枚ずつ順に表示する、いわゆるスライドショー表示と呼ばれる方法とが知られている。
【先行技術文献】
【特許文献】
【０００３】
【特許文献１】特開２０１１−５９７７５号公報（２０１１年３月２４日公開）
【特許文献２】特開２０１２−１９４７８７号公報（２０１２年１０月１１日公開）
【特許文献３】特開２００７−１４３７０６号公報（２００７年６月１４日公開）
【発明の概要】
【発明が解決しようとする課題】
【０００４】
本発明者らは、演出効果が高い新規なスライドショー表示の方法として、複数の画像を順に表示しながら、その表示位置をランダムに変化させることにより、あたかも机の上に写真を広げたかのような演出効果が得られる技術について、鋭意検討している。
【０００５】
ここで、本発明者らの独自の知見によれば、純粋にランダムに表示位置を変化させてしまうと、新しく表示する画像が直近に表示した画像に大きく被さり、この直近に表示した画像がわずかな時間で見えなくなり、演出効果が損なわれてしまう。
【０００６】
一方、直近に表示した画像と新しく表示する画像が被らないように意図的に表示位置を変化させた場合には、極端に重なりを避けているような不自然な印象を与えるため、この場合も演出効果が損なわれてしまう。
【０００７】
特許文献１には、複数の画像を同時に表示するときに、注目領域を抽出し、注目領域に他の画像が重ならないように各画像を配置する技術が記載されているが、この技術は、注目領域を抽出するために複雑な計算が必要となる。
【０００８】
本発明は、上記課題に鑑みてなされたものであり、複数の画像を順に表示する表示技術において、簡易な手法で、良好な演出効果を得る技術を提供することを主たる目的とする。
【課題を解決するための手段】
【０００９】
上記の課題を解決するために、本発明の一態様に係る表示装置は、複数の画像を順に表示する表示装置であって、次に表示すべき次画像の表示座標の候補座標をランダムに生成する生成手段、該次画像を該候補座標に表示する場合に当該次画像に対応する仮想矩形と、直近に表示した画像に対応する仮想矩形とが重なるか否かを判定する判定手段、および該判定手段の判定結果に応じて、該次画像を表示する表示手段、を備えており、該仮想矩形は、該表示手段による該複数の画像の最大表示サイズよりも小さい一定のサイズを有し、対応する画像と中心位置が同じであることを特徴としている。
【００１０】
また、本発明の一態様に係る表示方法は、複数の画像を順に表示する表示方法であって、次に表示すべき次画像の表示座標の候補座標をランダムに生成する生成工程、該次画像を該候補座標に表示する場合に当該次画像に対応する仮想矩形と、直近に表した画像に対応する仮想矩形とが重なるか否かを判定する判定工程、および該判定工程における判定結果に応じて、該次画像を表示する表示工程、を包含しており、該仮想矩形は、該表示工程における該複数の画像の最大表示サイズよりも小さい一定のサイズを有し、対応する画像と中心位置が同じであることを特徴としている。
【発明の効果】
【００１１】
本発明の一態様によれば、複数の画像を順に表示する表示技術において、画像に対応する一定のサイズの仮想矩形を用いることにより、簡易な手法で、新しく表示する画像が直近に表示した画像に大きく被さることを避けつつ、極端に重なりを避けているような不自然な印象を抑えて、良好な演出効果を得ることができる。
【図面の簡単な説明】
【００１２】
【図１】本発明の一実施形態に係る表示装置の概略構成を示す機能ブロック図である。
【図２】本発明の一実施形態に係る表示装置の動作の一例を説明するフローチャートである。
【図３】表示画面における画像および仮想矩形の例を模式的に示す図である。
【図４】表示画面における画像および仮想矩形の例を模式的に示す図である。
【図５】表示画面における画像および仮想矩形の例を模式的に示す図である。
【発明を実施するための形態】
【００１３】
本発明のいくつかの実施形態に係る表示装置について、図面を用いて説明する。各実施形態に係る表示装置は、これに限定されないが、例えば、テレビジョン受像機、デジタルフォトフレーム、電子看板、電子パンフレット、電子ＰＯＰ、電子黒板、ディスプレイ装置、タブレット端末、パーソナルコンピュータ等であり得る。なお、以下の説明では本発明を実施するために好ましい種々の限定が付加されているが、本発明の技術的範囲は以下の実施形態及び図面の記載に限定されるものではない。
【００１４】
〔実施形態１〕
（表示装置の概要）
図１は、実施形態１に係る表示装置１００の概略構成を示す機能ブロック図である。表示装置１００は、複数の画像を順に表示する（いわゆるスライドショー表示を行う）表示装置である。なお、画像の種類は特に限定されず、写真、文書、絵等であってもよいが、静止画であることが好ましい。
【００１５】
図１に示すように、表示装置１００は、表示部（表示手段）１０および主制御部２０を備えている。主制御部２０は、表示制御部（表示手段）２１、候補座標生成部（生成手段）２２、重なり判定部（判定手段）２３、生成回数記憶部２４、画像記憶部２５および仮想矩形記憶部２６を備えている。
【００１６】
表示部１０は、画像を表示するための部材である。表示部１０は、画像を表示する表示画面３（例えば、液晶表示パネルなど。図３参照）および表示画面３に画像を表示するための各種機構（例えば、液晶表示パネルの駆動回路など）を備えている。
【００１７】
表示制御部２１は、画像記憶部２５に記憶されている画像データを、表示部１０に順に表示させる機能を有する制御ブロックである。表示制御部２１は、画像記憶部２５からの画像の読み出し、画像データのデコード、スケーリング処理等を行い、表示部１０を制御して、表示画面３に画像を表示させる。
【００１８】
なお、一実施形態において、表示制御部２１が表示画面３に画像を表示する際の解像度は固定されている。すなわち、表示画面３における一つの画像を表示するための領域の縦方向および横方向の画素数、別の観点から言えば、表示制御部２１による画像の最大表示サイズが固定されている。したがって、例えば、表示制御部２１が、１９８０×１０８０の解像度で画像を表示するようになっている場合、表示制御部２１は、１９８０×１０８０以下のサイズの画像については、そのまま表示させるが、１９８０×１０８０を超えるサイズの画像（例えば、３８４０×２１６０のサイズの画像）については、１９８０×１０８０のサイズの画像にスケーリングした後に表示画面３に表示させる。
【００１９】
候補座標生成部２２、重なり判定部２３、およびこれらに関連する表示制御部２１の機能については後述する。
【００２０】
（表示装置の動作）
図２は、表示装置１００の動作の一例を説明するフローチャートである。以下、図２を参照して、表示装置１００によるスライドショー表示の流れについて詳細に説明する。
【００２１】
表示装置１００がスライドショー表示を開始すると、まず、ステップＳ１において、表示制御部２１が、画像記憶部２５を参照し、次に表示すべき画像（以下、次画像と称する）が存在するか否かを判定する。次画像が存在しない場合（ステップＳ１におけるＮＯ）、表示装置１００はスライドショー表示を終了する。一方、次画像が存在する場合（ステップＳ１におけるＹＥＳ）、ステップＳ２に進み、次画像の表示処理を開始する。
【００２２】
ステップＳ２（生成工程）では、表示制御部２１は、候補座標生成部２２に、次画像を表示すべき座標の候補（以降、候補座標と称する）を生成させるとともに、生成回数記憶部２４に記憶されている候補座標の生成回数を１つ増加させる。候補座標生成部２２は、候補座標をランダムに生成する。候補座標生成部２２が候補座標を生成する方法は特に限定されないが、例えば、乱数を生成して、生成した乱数に基づいて候補座標を生成すればよい。そして、候補座標生成部２２は、生成した候補座標を表示制御部２１および重なり判定部２３に送る。続いて、ステップＳ３に進む。
【００２３】
ステップＳ３では、表示制御部２１が、生成回数記憶部２４に記憶されている候補座標の生成回数が予め定められた上限値以下であるか否かを判定する。そして、候補座標の生成回数が上限値以下である場合（ステップＳ３におけるＹＥＳ）、ステップＳ４に進む。一方、候補座標の生成回数が上限値を超えている場合（ステップＳ３におけるＮＯ）は、ステップＳ６に進み、画像表示を行う。
【００２４】
ステップＳ４（判定工程）では、重なり判定部２３が、次画像を候補座標に表示する場合に当該次画像に対応する仮想矩形と、直近に表示した画像に対応する仮想矩形とが重なるか否かを判定する。これを、図３を用いて説明する。
【００２５】
図３の（ａ）および（ｂ）は、それぞれ表示画面３における画像１Ａ〜１Ｄおよび仮想矩形２Ａ〜２Ｄの例を模式的に示す図である。図３の（ａ）および（ｂ）では、符号１Ａが、次画像に対応し、符号１Ｂ〜１Ｄが、直近に表示した画像に対応する。なお、本実施形態では、直近に表示した画像の枚数は３枚に設定されているが、これに限定されず、１枚以上であればよく、後述するように調整可能であってもよい。また、符号２Ａ〜２Ｄが、画像１Ａ〜１Ｄのそれぞれに対応する仮想矩形である。
【００２６】
図３の（ａ）および（ｂ）に示すように、仮想矩形は、対応する画像と中心位置が同じの、一定のサイズを有する矩形領域である。そのため、画像の表示座標が与えられれば、その画像に対応する仮想矩形の位置は、容易に算出することができる。
【００２７】
すなわち、重なり判定部２３は、次画像１Ａを候補座標に表示する場合に当該次画像１Ａに対応する仮想矩形２Ａの位置を、候補座標生成部２２から送られた候補座標に応じて容易に算出することができる。
【００２８】
また、後述するように、仮想矩形記憶部２６には、直近に表示した画像１Ｂ〜１Ｄに対応する仮想矩形２Ｂ〜２Ｄの位置を示す情報が記憶されている。そのため、重なり判定部２３は、仮想矩形記憶部２６を参照して、直近に表示した画像に対応する仮想矩形の位置を取得することができる。
【００２９】
したがって、重なり判定部２３は、次画像を候補座標に表示する場合に当該次画像に対応する仮想矩形、および直近に表示した画像に対応する仮想矩形について、両方の仮想矩形の位置を容易に取得することができるため、仮想矩形同士が重なるか否かを容易に判定することができる。
【００３０】
例えば、図３の（ａ）に示す例では、仮想矩形２Ａは、仮想矩形２Ｂ〜２Ｄと重なっていないため、重なり判定部２３は、仮想矩形同士は重ならないと判定することができる。また、図３の（ｂ）に示す例では、仮想矩形２Ａは、仮想矩形２Ｃと重なっているため、重なり判定部２３は、仮想矩形同士は重なると判定することができる。
【００３１】
ここで、仮想矩形のサイズは、図３の（ａ）および（ｂ）にも示すように、表示制御部２１による画像の最大表示サイズよりも小さく設定されている。そのため、ステップＳ４では、次画像１Ａが、直近に表示した画像１Ｂ〜１Ｄと一部でも重なっているか否かではなく、次画像１Ａが、直近に表示した画像１Ｂ〜１Ｄと大きく被っているか否かを首尾よく判定することができる。したがって、画像同士の若干の重なりが許容されるので、極端に重なりを避けているような不自然な印象を抑えることができる。
【００３２】
そして、重なり判定部２３が仮想矩形同士は重なると判定した場合（ステップＳ４におけるＹＥＳ）、ステップＳ５に進む。一方、重なり判定部２３が仮想矩形同士は重ならないと判定した場合（ステップＳ４におけるＮＯ）、ステップＳ６に進み、次画像の表示を行う。
【００３３】
ステップＳ５では、表示制御部２１は、リトライ処理を行う。すなわち、表示制御部２１は、候補座標生成部２２が生成した候補座標を一旦破棄し、ステップＳ２に戻って、候補座標生成部２２に、候補座標を再度生成させる。
【００３４】
ステップＳ６（表示工程）では、表示制御部２１が、表示部１０を制御して、表示画面３における候補座標に次画像を表示させる。表示制御部２１は、また、表示した次画像に対応する仮想矩形の位置を示す情報を、仮想矩形記憶部２６に記憶させる。このとき、仮想矩形記憶部２６に記憶されている最も古い仮想矩形については消去してもよい。表示制御部２１は、また、生成回数記憶部２４に記憶されている候補座標の生成回数を０に戻す。そして、表示装置１００が所定時間待機した後、ステップＳ１に戻る。
【００３５】
（本実施形態の効果）
このように、表示装置１００は、候補座標こそランダムに生成するが、実際に次画像を表示する前には、次画像を候補座標に表示する場合に当該次画像に対応する仮想矩形と、直近に表示した画像に対応する仮想矩形とが重なるか否かの判定を行い、その判定結果に応じて表示を行う。これにより、純粋にランダムに画像の表示位置を決定する場合とは異なり、画像同士の重なりの程度を制御することができ、新しく表示する画像が直近に表示した画像に大きく被さることを避けることができる。
【００３６】
なお、この仮想矩形は、表示手段による複数の画像の最大表示サイズよりも小さいサイズを有しているため、画像同士が若干重なっていたとしても、仮想矩形同士は重なっていない状態が想定し得る。すなわち、画像同士の若干の重なりが許容される。ゆえに、全く重なりが無いように表示位置を調整する場合に比べて、極端に重なりを避けているような不自然な印象を抑えることができる。
【００３７】
そして、仮想矩形は、対応する画像と中心位置が同じの、一定のサイズの矩形領域である。したがって、簡易な計算で、表示画像に対応する仮想矩形を算出することができる。
【００３８】
よって、表示装置１００によれば、簡易な手法で、良好な演出効果を得ることができる。
【００３９】
特に、表示装置１００は、候補座標の生成回数が少ないうちは、次画像に対応する仮想矩形と、直近に表示した画像に対応する仮想矩形とが重なったとき、候補座標を生成し直すことにより、新しく表示する画像が直近に表示した画像に大きく被さることをより好適に避けることができる。
【００４０】
一方で、表示装置１００は、候補座標の生成回数が大きくなったときは、次画像の仮想矩形と、直近に表示した画像の仮想矩形とが重なったとしても、そのまま表示を行うことにより、表示ルールの曖昧さが向上して、より自然な印象を与えることができる。
【００４１】
（仮想矩形のサイズについて）
仮想矩形のサイズは、例えば、表示画面３の解像度、大きく被らずに表示したい画像の枚数、および表示画像の解像度（画像の最大表示サイズ）といった条件を考慮して設定することができる。なお、大きく被らずに表示したい画像の枚数は、上述した判定対象となる直近に表示した画像の枚数に１を加えた数となる。
【００４２】
まず、パターンＡとして、表示画面３の解像度と表示画像の解像度との比が、大きく被らずに表示したい画像の枚数に対して十分大きい場合は、表示の際に、画像の表示位置をランダムに決定したとしても画像同士が全く重ならない可能性が高いため、仮想矩形のサイズは大きくすることができる。表示画面３の解像度と表示画像の解像度との比は、表示画面３上において、画像を重ねずに表示し得る最大の枚数と同義であるからである。
【００４３】
次に、パターンＢとして、表示画面３の解像度と表示画像の解像度との比が、大きく被らずに表示したい画像の枚数にほぼ等しい場合は、画像の表示位置をランダムに決定した場合、画像同士が重なる可能性が高いため、仮想矩形のサイズによって挙動が大きく変わることになる。
【００４４】
例えば、表示画面３の解像度が３８４０×２１６０であり、大きく被らずに表示したい画像の枚数が４枚であり、表示画像の解像度が１９８０×１０８０である場合、1表示画面３の解像度と表示画像の解像度との比が４となり、大きく被らずに表示したい画像の枚数と一致するため、パターンＢに相当する。この場合、一例として、仮想矩形サイズを、表示画像の解像度の縦横３分の１である６４０×３６０とすることで、重なりを回避しながら、自然に画像を配置することが可能となる。なお、仮想矩形のサイズは、上記の例に限られるものではなく、適宜設定すればよいが、例えば、表示画像の解像度の縦横４分の１以上縦横２分の１以下とすることが好ましい。
【００４５】
最後に、パターンＣとして、表示画面３の解像度と表示画像の解像度との比が、大きく被らずに表示したい画像の枚数よりも小さい場合には、必ず画像が重なってしまうため、仮想矩形のサイズを小さく設定しなければ、候補座標の生成回数が上限値を超えて（ステップＳ３のＮＯ）、画像同士が重なった状態で表示を行う可能性が高くなる。そのため、仮想矩形のサイズは、小さく設定する方が好ましい。
【００４６】
なお、実際の表示装置では、パターンＢに該当する可能性が最も高いと考えられる。
【００４７】
（調整について）
なお、一実施形態において、「仮想矩形のサイズ」、「候補座標の生成回数の上限値」、重なり判定部２３の判定対象となる仮想矩形に対応する「直近に表示した画像の枚数」は、それぞれ調整可能である。例えば、図示しない入力手段からの入力に基づいて、表示制御部２１が、調整後の設定を示す設定値を図示しない設定記憶部に記憶するように構成すればよい。
【００４８】
なお、「仮想矩形のサイズ」を大きくすれば、表示画像同士の重なり度合いが小さくなり、「仮想矩形のサイズ」を小さくすれば、表示画像同士の重なり度合いが大きくなる。
【００４９】
また、「候補座標の生成回数の上限値」を多くすれば、表示画像同士が大きく被らずに表示される頻度が多くなり、「候補座標の生成回数の上限値」を少なくすれば、表示画像同士が大きく被って表示される頻度が多くなる。よって、「候補座標の生成回数の上限値」の調整によって曖昧感の演出をすることができる。
【００５０】
また、「直近に表示した画像の枚数」を多くすれば、各画像が他の画像によって上書きされるまでの期間を長くすることができ、「直近に表示した画像の枚数」を少なくすれば、各画像が他の画像によって上書きされるまでの期間が短くなる。
【００５１】
以上のように、各パラメータを調整することにより、所望の演出効果をより好適に得ることができる。
【００５２】
〔実施形態２〕
続いて、本発明の他の実施形態について説明する。なお、説明の便宜上、前記実施形態にて説明した部材と同じ機能を有する部材については、同じ符号を付記し、その説明を省略する。
【００５３】
実施形態２では、表示対象の画像の表示サイズが二種類以上である場合について説明する。なお、表示サイズとは、上述した表示制御部２１によるスケーリング処理後の、表示画面３に実際に表示されるサイズを指す。
【００５４】
このように、様々な画像の表示サイズが混在する場合、これらの画像の表示位置をランダムに決定すると、小さな画像が、後に表示した大きな画像によって上書きされて、小さな画像が完全に消えてしまう可能性が高い。
【００５５】
これに対し、実施形態１と同様に、ステップＳ１〜Ｓ６を実行することにより、小さいサイズの画像においても、一定のサイズの仮想矩形が設定され、当該仮想矩形に新しい画像の仮想矩形が重ならないように表示が行われる。そのため、大きいサイズの画像が、小さいサイズの画像を完全に上書きしてしまうことを好適に避けることができる。
【００５６】
すなわち、図４の（ｂ）に示すように、小さな画像１Ｄが後に表示した大きな画像１Ａによって上書きされるような場合は、仮想矩形２Ａと２Ｄも重なるため、リトライを実行し、図４の（ａ）に示すように、小さな画像１Ｄが、大きな画像１Ａによって上書きされない場合に、画像の表示を行うことができる。
【００５７】
特に、図５に示すように、画像のサイズによらずに、対応する仮想矩形のサイズを一定にすることにより、小さな画像１Ｄが、大きな画像１Ａによって上書きされることを好適に回避することができる。小さな画像１Ｄに対応する仮想矩形２Ｄが小さくなると、図４の（ｂ）に示すように、画像１Ｄと画像１Ａとが重なっても、仮想矩形２Ｄと仮想矩形２Ａとが重ならず、そのまま表示されて、画像１Ｄが上書きされる場合があるからである。
【００５８】
〔変形例〕
ステップＳ５において、リトライを行う代わりに、仮想矩形同士の重なりが解消されるまで、候補座標を特定の方向に漸増させて、ステップＳ６に進む構成であってもよい。
【００５９】
また、スライドショー表示の開始は、図示しない入力手段からの入力や、自律的なプログラムによって開始してもよい。また、スライドショー表示の終了は、上述したように、画像記憶部２５に、次に表示すべき画像がない場合に加えて、図示しない入力手段からの入力によって終了させてもよい。
【００６０】
また、表示すべき画像は、画像記憶部２５に記憶されているものに限定されず、外部装置、ネットワーク等から有線または無線を介して取得するように構成してもよい。
【００６１】
また、他の実施形態において、仮想矩形のサイズを一定にせず、表示すべき任意の画像のサイズが、仮想矩形のサイズよりも小さい場合、当該画像については仮想矩形のサイズを、当該画像のサイズに変更するように構成することもできる。
【００６２】
〔ソフトウェアによる実現例〕
表示装置１００の制御ブロック（特に主制御部２０）は、集積回路（ＩＣチップ）等に形成された論理回路（ハードウェア）によって実現してもよいし、ＣＰＵ（Central Processing Unit）を用いてソフトウェアによって実現してもよい。
【００６３】
後者の場合、表示装置１００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６４】
〔まとめ〕
本発明の態様１に係る表示装置１００は、複数の画像１Ａ〜１Ｄを順に表示する表示装置であって、次に表示すべき次画像１Ａの表示座標の候補座標をランダムに生成する生成手段（候補座標生成部２２）、次画像１Ａを候補座標に表示する場合に当該次画像１Ａに対応する仮想矩形２Ａと、直近に表示した画像１Ｂ〜１Ｄに対応する仮想矩形２Ｂ〜２Ｄとが重なるか否かを判定する判定手段（重なり判定部２３）、および判定手段（重なり判定部２３）の判定結果に応じて、次画像１Ａを表示する表示手段（表示制御部２１および表示部１０）、を備えており、仮想矩形２Ａ〜２Ｄは、表示手段（表示制御部２１および表示部１０）による複数の画像１Ａ〜１Ｄの最大表示サイズよりも小さい一定のサイズを有し、対応する画像１Ａ〜１Ｄと中心位置が同じである。
【００６５】
上記の構成によれば、候補座標こそランダムに生成するが、実際に次画像を表示する前には、次画像を候補座標に表示する場合に当該次画像に対応する仮想矩形と、直近に表示した画像に対応する仮想矩形とが重なるか否かの判定を行い、その判定結果に応じて表示を行う。これにより、純粋にランダムに画像の表示位置を決定する場合とは異なり、画像同士の重なりの程度を制御することができ、新しく表示する画像が直近に表示した画像に大きく被さることを避けることができる。
【００６６】
なお、この仮想矩形は、表示手段による複数の画像の最大表示サイズよりも小さいサイズを有しているため、画像同士が若干重なっていたとしても、仮想矩形同士は重なっていない状態が想定し得る。すなわち、画像同士の若干の重なりが許容される。ゆえに、全く重なりが無いように表示位置を調整する場合に比べて、極端に重なりを避けているような不自然な印象を抑えることができる。
【００６７】
そして、仮想矩形は、対応する画像と中心位置が同じの、一定のサイズの矩形領域である。したがって、簡易な計算で、表示画像に対応する仮想矩形を算出することができる。
【００６８】
よって、上記の構成によれば、簡易な手法で、良好な演出効果を得ることができる。
【００６９】
本発明の態様２に係る表示装置１００では、上記態様１において、表示手段（表示制御部２１および表示部１０）は、生成手段（候補座標生成部２２）による次画像１Ａについての候補座標の生成回数が上限値以下であり、かつ、仮想矩形２Ａ〜２Ｄ同士が重なると判定手段（重なり判定部２３）が判定した場合、生成手段（候補座標生成部２２）に候補座標を再度生成させ、上記生成回数が上記上限値を超えているか、または、仮想矩形２Ａ〜２Ｄ同士が重ならないと判定手段（重なり判定部２３）が判定した場合、候補座標に次画像１Ａを表示するものであってもよい。
【００７０】
上記の構成によれば、候補座標の生成回数が少ないうちは、次画像に対応する仮想矩形と、直近に表示した画像に対応する仮想矩形とが重なったとき、候補座標を生成し直す。これにより、新しく表示する画像が直近に表示した画像に大きく被さることをより好適に避けることができる。
【００７１】
一方で、候補座標の生成回数が大きくなったときは、次画像の仮想矩形と、直近に表示した画像の仮想矩形とが重なったとしても、そのまま表示を行う。これにより、表示ルールの曖昧さが向上して、より自然な印象を与えることができる。
【００７２】
本発明の態様３に係る表示装置１００では、上記態様１または２において、表示対象である複数の画像１Ａ〜１Ｄの表示サイズが、二種類以上あってもよい。
【００７３】
複数の画像の表示サイズが二種類以上あり、純粋にランダムに画像の表示位置を決定した場合、大きいサイズの画像が、小さいサイズの画像を完全に上書きしてしまうことが起こり得る。
【００７４】
ここで、上記の構成によれば、小さいサイズの画像においても、一定のサイズの仮想矩形が設定され、当該仮想矩形に新しい画像の仮想矩形が重ならないように表示が行われる。そのため、大きいサイズの画像が、小さいサイズの画像を完全に上書きしてしまうことを好適に避けることができる。
【００７５】
本発明の態様４に係るテレビジョン受像機は、上記態様１〜３における表示装置１００を備えている。
【００７６】
上記の構成によれば、テレビジョン受像機において、態様１〜３の何れかと同等の効果を奏する。
【００７７】
本発明の態様５に係る表示方法は、複数の画像１Ａ〜１Ｄを順に表示する表示方法であって、次に表示すべき次画像１Ａの表示座標の候補座標をランダムに生成する生成工程、次画像１Ａを候補座標に表示する場合に当該次画像１Ａに対応する仮想矩形２Ａと、直近に表した画像１Ｂ〜１Ｄに対応する仮想矩形２Ｂ〜２Ｄとが重なるか否かを判定する判定工程、および判定工程における判定結果に応じて、次画像１Ａを表示する表示工程、を包含しており、仮想矩形２Ａ〜２Ｄは、表示工程における複数の画像１Ａ〜１Ｄの最大表示サイズよりも小さい一定のサイズを有し、対応する画像１Ａ〜１Ｄと中心位置が同じである。
【００７８】
上記の構成によれば、態様１に係る表示装置と同等の効果を奏する。
【００７９】
本発明の各態様に係る表示装置は、コンピュータによって実現してもよく、この場合には、コンピュータを上記表示装置が備える各手段として動作させることにより上記表示装置をコンピュータにて実現させる表示装置の表示プログラム、およびそれを記録したコンピュータ読み取り可能な記録媒体も、本発明の範疇に入る。
【００８０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００８１】
本発明は、表示装置一般に利用することができる。
【符号の説明】
【００８２】
１Ａ〜１Ｄ  画像
２Ａ〜２Ｄ  仮想矩形
３      表示画面
１０    表示部（表示手段）
２０    主制御部
２１    表示制御部（表示手段）
２２    候補座標生成部（生成手段）
２３    重なり判定部（判定手段）
２４    生成回数記憶部
２５    画像記憶部
２６    仮想矩形記憶部
１００  表示装置
【図１】
2014235539.tif 000003
【図２】
2014235539.tif 000004
【図３】
2014235539.tif 000005
【図４】
2014235539.tif 000006
【図５】
2014235539.tif 000007